(57)【特許請求の範囲】
【請求項１】
伝送路によって伝送された光を用いて照明する照明装置であって、
上流側の伝送路に接続され、異なる波長が多重化されて伝送された光が入力される入力端子部と、
前記入力端子部から入力された前記多重化された光のうち特定の波長の光を反射させると共に、前記特定の波長以外の光を通過させる波長フィルタ部と、
前記波長フィルタ部を通過した光を下流側の伝送路に出力する出力端子部と、
前記波長フィルタ部によって反射された前記特定の波長の光を入射し、入射した光の波長を変換する波長変換部と、
前記波長変換部によって変換された光を照射するランプ部と、
を備えることを特徴とする照明装置。
【請求項２】
前記ランプ部は、
前記波長変換部によって変換された光を反射する光反射層部と、
前記光反射層部によって反射された光を散乱させる散乱部と、
を更に備える請求項１に記載の照明装置。
【請求項３】
前記入力端子部から入力された光を電力に変換する光電変換部と、
前記光電変換部によって変換された電力を制御する電源制御部と、
前記電源制御部から電源の供給を受けて、前記ランプ部の周囲の光の照度を計測し、計測した前記照度のデータを通信光信号によって前記伝送路を用いて送信するセンサ部と、
を更に備える請求項１又は２に記載の照明装置。
【請求項４】
光を出力する光源装置と、
前記光源装置が出力した光を複数の異なる波長の光として多重化し、多重化した光を伝送する光伝送装置と、
前記光伝送装置によって伝送された光を用いて照明する照明装置であって、
上流側の伝送路に接続され、異なる波長が多重化されて伝送された光が入力される入力端子部と、
前記入力端子部から入力された前記多重化された光のうち特定の波長の光を反射させると共に、前記特定の波長以外の光を通過させる波長フィルタ部と、
前記波長フィルタ部を通過した光を下流側の伝送路に出力する出力端子部と、
前記波長フィルタ部によって反射された前記特定の波長の光を入射し、入射した光の波長を変換する波長変換部と、
前記波長変換部によって変換された光を照射するランプ部と、を有する照明装置と、
を備えることを特徴とする照明制御システム。
【発明の詳細な説明】
【技術分野】
【０００１】
本発明は、照明装置、航空障害灯及びシステムに関する。
【背景技術】
【０００２】
従来より、ビルや送電線鉄塔等において、多数の照明装置や航空障害灯等が設置され、監視や保守をするためにシステム化されて一括管理されている。このような照明装置や航空障害灯等を一括管理するシステムとして、特許文献１や、特許文献２が知られている。
【０００３】
特許文献１には、中央制御装置の伝送線に端末器を接続し、ビル内の照明装置及び航空障害灯を一括管理する照明制御システムの技術が開示されている。また、特許文献２には、送電線鉄塔上の航空障害灯において、光源故障時に光源を交換する危険回避として、光源を送電鉄塔の低所に配置し、低所の光源から発光された光を光源用光ファイバによって導いて地上高の高い送電鉄塔の頂部から放射する技術が開示されている。
【先行技術文献】
【特許文献】
【０００４】
【特許文献１】特開２００２−１１０３６７号公報
【特許文献１】特開２００８−８３８３２号公報
【発明の概要】
【発明が解決しようとする課題】
【０００５】
しかしながら、特許文献１に開示された技術は、航空障害灯がビル用であり、航空障害灯用電源を必要とする。そして、この技術に用いられる伝送線は、ビル内の照明及び航空障害灯の一括監視制御信号用のものであるため、伝送する距離が長距離になる送電鉄塔上の航空障害灯の電源（蓄電池）供給や、一括監視制御に用いるには、不向きである。
【０００６】
また、特許文献２に開示された技術は、各送電鉄塔上の航空障害灯を対象としているが、送電鉄塔１〜２基当たりに光源や電源等を配備する必要がある。そのため、送電鉄塔近辺に配電線（光源用の低圧電力線）が存在することがほとんどない現状では、対象とする航空障害灯を設置するエリアが限定されてしまう。更に、送電鉄塔ごとに光源や電源等を配備すると設備構築費用や運用費用が高く、省エネではない。
【０００７】
そこで、近くに光源や電源を備えていなくても照らすことができ、更に、コストを従来より低減することができる照明装置が望まれている。
【０００８】
本発明は、近くに光源や電源を備えていなくても照らすことができ、更に、コストを従来より低減することができる照明装置、航空障害灯及びシステムを提供することを目的とする。
【課題を解決するための手段】
【０００９】
本発明では、以下のような解決手段を提供する。
【００１０】
（１）  伝送路によって伝送された光を用いて照明する照明装置であって、上流側の伝送路に接続され、伝送された光が入力される入力端子部と、前記入力端子部から入力された光のうち特定の波長以外の光を通過させる波長フィルタ部と、前記波長フィルタ部を通過した光を下流側の伝送路に出力する出力端子部と、前記波長フィルタ部１２を通過しなかった特定の波長の光の波長を変換する波長変換部と、前記波長変換部によって変換された光を照射するランプ部と、を備えることを特徴とする照明装置。
【００１１】
（１）の構成によれば、本発明に係る照明装置は、伝送路によって伝送された光を用いて照明する照明装置であって、上流側の伝送路に接続された入力端子部から、伝送された光が入力され、入力された光のうち特定の波長以外の光を通過させ、下流側の伝送路に出力する。そして、本発明に係る照明装置は、通過しなかった特定の波長の光の波長を変換し、変換された光を照射する。
【００１２】
したがって、本発明に係る照明装置は、伝送路によって伝送された光を用いるので、近くに光源や電源を備えていなくても照らすことができる。更に、本発明に係る照明装置は、伝送された光のうち特定の波長の光を用いて照らし、特定の波長以外の光を通過させるので、本発明に係る照明装置を多数使用した場合に、光の波長を制御して一括して監視制御でき、その結果、照明装置を多数使用した場合のコストを従来より低減することができる。
【００１３】
（２）  前記ランプ部は、前記波長変換部によって変換された光を反射する光反射層部と、前記光反射層部によって反射された光を散乱させる散乱部と、を更に備える（１）に記載の照明装置。
【００１４】
（２）の構成によれば、（１）に記載の照明装置は、波長変換部によって変換された光を反射し、反射された光を散乱させる。したがって、本発明に係る照明装置は、伝送路によって伝送された光をランプ部において反射して散乱させるので、広い範囲を照明できる。
【００１５】
（３）  前記入力された光を電力に変換する光電変換部と、前記光電変換部によって変換された電力を制御する電源制御部と、前記電源制御部から電源の供給を受けて、前記ランプ部の周囲の光の照度を計測するセンサ部と、を更に備える（１）又は（２）に記載の照明装置。
【００１６】
（３）の構成によれば、（１）又は（２）に記載の照明装置は、入力された光を電力に変換し、変換された電力を制御し、その電源の供給を受けて、ランプ部の周囲の光の照度を計測する。したがって、本発明に係る照明装置を多数使用した場合に、照明装置の周囲の照度を利用し、光の波長を制御して一括して監視制御でき、その結果、照明装置を多数使用した場合のコストを従来より低減することができる。
【００１７】
（４）  光を出力する光源装置と、前記光源装置が出力した光を複数の異なる波長の光として多重化し、多重化した光を伝送する光伝送装置と、前記光伝送装置によって伝送された光を照明する照明装置であって、上流側の伝送路に接続され、前記伝送された光が入力される入力端子部と、前記入力端子部から入力された光のうち特定の波長以外の光を通過させる波長フィルタ部と、前記波長フィルタ部を通過した光を下流側の伝送路に出力する出力端子部と、前記波長フィルタ部を通過しなかった特定の波長の光の波長を変換する波長変換部と、前記波長変換部によって変換された光を照射するランプ部と、を有する照明装置と、を備えることを特徴とする照明制御システム。
【００１８】
（４）の構成によれば、本発明に係る照明制御システムにおいて、光源装置は光を出力し、光伝送装置は光源装置が出力した光を複数の異なる波長の光として多重化し、多重化した光を伝送し、照明装置は、光伝送装置によって伝送された光が上流側の伝送路に接続された入力端子部から入力され、入力された光のうち特定の波長以外の光を通過させ、下流側の伝送路に出力し、入力された光のうち通過しなかった特定の波長の光の波長を変換し、変換された光を照射する。したがって、本発明に係る照明装置システムは、伝送された光のうち特定の波長の光を用いて照らし、特定の波長以外の光を通過させる照明装置を多数使用し、光の波長を制御して一括して監視制御でき、その結果、照明装置を多数使用した場合のコストを従来より低減することができる。
【発明の効果】
【００１９】
本発明によれば、近くに光源や電源を備えていなくても照らすことができ、更に、コストを従来より低減することができる照明装置、航空障害灯及び照明装置システムを提供することができる。
【００２０】
更に、本発明によれば、多数の照明装置を利用した場合に、大幅なコスト低減と、ＣＯ２削減とが実現できる。そして、多数の照明装置を一括して監視制御する設備をコンパクトにすることができ、監視や保守の簡素化及び効率化を図ることができる。
【図面の簡単な説明】
【００２１】
【図１】本発明の一実施形態に係る照明装置１０の構成を示すブロック図である。
【図２】本発明の一実施形態に係る照明装置１０のランプ部１０１の構成の一例を示す図である。
【図３】本発明の一実施形態に係る照明装置システム２０の構成を示すブロック図である。
【図４】本発明の一実施形態に係る航空障害灯３０の構成を示すブロック図である。
【図５】本発明の一実施形態に係る航空障害灯システム４０の構成を示すブロック図である。
【図６】本発明の一実施形態に係る航空障害灯システム４０の監視制御装置４００のハードウェア構成の一例を示す図である。
【図７】本発明の一実施形態に係る航空障害灯システム４０の監視制御テーブルの一例を示す図である。
【図８】本発明の一実施形態に係る航空障害灯システム４０の処理内容を示すフローチャートである。
【図９】本発明の一実施形態に係る航空障害灯システム４０の全体図の一例を示す図である。
【発明を実施するための形態】
【００２２】
以下、本発明の実施形態について図を参照しながら説明する。
【００２３】
［実施例１］
図１は、本発明の一実施形態に係る照明装置１０の構成を示すブロック図である。照明装置１０は、伝送路によって伝送された光を用いて照明する装置である。この照明装置１０は、入力端子部１１と、波長フィルタ部１２と、出力端子部１３と、波長変換部１４とからなる光接続部１０２と、ランプ部１０１と、を備える。
【００２４】
入力端子部１１は、上流側の伝送路２０１に接続される。この入力端子部１１には、伝送路を介して伝送された光が入力される。伝送路は、光源から放射された光を伝送し、例えば、光ファイバによって構成される。光源は、例えば、近赤外線を用いた高出力レーザーがある。光源から放射された光は、波長分割多重（ＷＤＭ：Ｗａｖｅｌｅｎｇｔｈ  Ｄｉｖｉｓｉｏｎ  Ｍｕｌｔｉｐｌｅｘｉｎｇ）技術により、複数の異なる波長の光に多重化されて伝送される。
【００２５】
波長フィルタ部１２は、入力端子部１１から入力された光のうち特定の波長以外の光を通過させる。例えば、波長フィルタ部１２は、光ファイバによって伝送された光を構成する複数の波長の光のうちの特定の波長の光を反射し、特定の波長以外の光を通過させる。
【００２６】
出力端子部１３は、波長フィルタ部１２を通過した光を下流側の伝送路２０２に出力する。すなわち、伝送された光のうち特定の波長以外の光は、出力端子部１３から伝送路２０２に出力され、次の照明装置１０の入力端子部１１に入力される。
【００２７】
波長変換部１４は、波長フィルタ部１２を通過しなかった特定の波長の光の波長を変換する。すなわち、波長変換部１４は、波長フィルタ部１２によって反射された特定の波長の光を入射し、入射した光の波長を変換する。例えば、波長変換部１４は、赤外線光で励起し可視光発光（赤色）にアップコンバージョンする発光・蛍光材料を用いて、光の波長を変換する。
【００２８】
ランプ部１０１は、光反射層部１５と、散乱部１６とを備える。光反射層部１５は、波長変換部１４によって変換された光を反射させる。ここで、図２によって、光反射層部１５について説明する。図２は、本発明の一実施形態に係る照明装置１０のランプ部１０１の構成の一例を示す図である。図２（１）は、光が通過する光ファイバ１５０を示し、図２（２）は、図２（１）のＡ−Ａを断面とする断面図を示している。光ファイバ１５０は、例えば、側面出射光ファイバが用いられ、図２（２）のようにコア１５１と、クラッド１５２と、コア１５１とクラッド１５２との間に配置される光反射層１５３と、を備える。そして、波長変換部１４によって変換された光は、ランプ部１０１の光ファイバ１５０の光反射層１５３によって反射され、図２（１）のように光ファイバの側面全体から出射される。
【００２９】
散乱部１６は、光反射層部１５によって反射された光を散乱させる。例えば、散乱部１６は、ランプ部１０１のガラス表面に発光・蓄光材料を用いて、光を散乱させる。例えば、発光・蓄光材料としては、高輝度光散乱ポリマー導光体が用いられる。高輝度光散乱ポリマー導光体は、例えばフォトニクスポリマー中にミクロンオーダーの不均一構造を形成させた、高輝度光散乱導光体ポリマーで構成することができ、高効率な可視光の散乱体となる。
【００３０】
図３は、本発明の一実施形態に係る照明装置システム２０の構成を示すブロック図である。照明装置システム２０は、光源としてレーザー装置４０１と、光伝送装置４０２と、異なる波長に対応した波長フィルタ部１２を有する複数の照明装置１０と、を備えている。そして、光伝送装置４０２から出力された光を伝送する光ファイバケーブルは、一の照明装置１０の入力端子部１１に接続され、一の照明装置１０の出力端子部１３から次の照明装置１０の入力端子部１１に接続されている。
【００３１】
レーザー装置４０１は、光源として高出力のレーザー光を出力する。
【００３２】
光伝送装置４０２は、レーザー装置４０１から出力された光を、波長分割多重技術（ＷＤＭ）により複数の異なる波長の光として多重化し、一本の光ファイバケーブルによって伝送する。光の多重化は、指定された波長の光を指示によって多重化し、又は多重化しないことによって行われる。光ファイバケーブルは、コアを中心にして、その周囲をクラッドが取り巻き、更に、ファイバ保護のためクラッドの周囲は被覆で被われている。光ファイバケーブルは、コアとクラッドの屈折率の違いで光を反射させて伝送することにより、光ファイバケーブルを曲げても光の伝送が可能である。例えば、光伝送装置４０２は、波長λ１、λ２、・・・、λＸの波長の光を多重化させて、光ファイバケーブルによって伝送させる。
【００３３】
複数の照明装置１０のうち、一の照明装置１０は、光ファイバケーブルによって伝送されて入力端子部１１から入力された光のうち、例えばλ１の波長以外の光を通過させ、λ２、・・・、λＸの波長の光を出力端子部１３から出力する。そして、λ１の波長の光４１４を波長変換部１４によって変換し、変換された光を照射する。更に、一の照明装置１０の出力端子部１３から出力された光４１３（λ２、・・・、λＸの波長の光）は、次の照明装置１０に入力され、次の照明装置１０は、入力された光のうち、例えばλ２の波長以外の光を通過させ、λ３、・・・、λＸの波長の光を出力端子部１３から出力する。そして、λ２の波長の光を波長変換部１４によって変換し、変換された光を照射する。
【００３４】
このように、照明装置システム２０は、照明装置１０の近くに光源や電源を備えていなくても、特定の波長の光を伝送することにより複数の照明装置１０ごとに点灯させ、特定の波長の光を伝送しないことにより複数の照明装置１０ごとに消灯させることができる。
【００３５】
［実施例２］
図４は、本発明の一実施形態に係る航空障害灯３０の構成を示すブロック図である。航空障害灯３０は、照明装置１０の構成に加えて、光電変換部１７と、電源制御部１８と、センサ１０４と、を更に備えている。
【００３６】
航空障害灯３０の波長変換部１４は、近赤外線（１．３〜１．６μｍ）を、発光材料として、例えば、発光ガラスに通すことにより、波長変換して赤外光励起による赤色コンバージョン蛍光を行う。
【００３７】
光電変換部１７は、入力された光を電力に変換する。すなわち、光電変換部１７は、伝送路によって伝送され、入力端子部１１から入力された光のうち、電力用の光信号４１１（図５参照）を、例えば、フォトダイオード（ＰＤ：Ｐｈｏｔｏｄｉｏｄｅ）で受信し、電力に変換する。
【００３８】
電源制御部１８は、光電変換部１７によって変換された電力を制御する。
【００３９】
センサ１０４は、電源制御部１８から電源の供給を受けて、ランプ部１０１の周囲の光の照度を計測する。センサ１０４によって計測された照度データは、伝送路の一部を用いて通信光信号４１５（図５参照）によって、例えば、監視制御装置４００に送ることができる。監視制御装置４００は、受信した照度データに基づいて光源の出力を制御することができる。
【００４０】
航空障害灯３０は、設置する場所が６０ｍ以上９０ｍ以下であって昼間障害標識を設置する場合に、光度１０ｃｄが必要である（航空法第５１条の２、航空法施行規則第１３２条の２）。このため、照明装置１０の構成による光度では不足する場合には、光度を補うために、ＬＥＤ（Ｌｉｇｈｔ  Ｅｍｉｔｔｉｎｇ  Ｄｉｏｄｅ）１０３を備えてもよい。ＬＥＤ１０３は、伝送された光を光電変換部１７が変換し、電源制御部１８が制御する電力によって、発光する。なお、電源は独立電源として、各種発電装置（例えば、太陽光発電、風力発電、静電誘導法式、振動力発電等）による電力と蓄電池とを利用するとしてもよい。
【００４１】
図５は、本発明の一実施形態に係る航空障害灯システム４０の構成を示すブロック図である。航空障害灯システム４０は、航空障害灯３０と、光伝送装置４０２と、レーザー装置４０１と、監視制御装置４００と、を備えている。
【００４２】
レーザー装置４０１は、監視制御装置４００からの制御信号に基づいてレーザー光を出力する。光伝送装置４０２は、複数の異なる波長の光を伝送路によって航空障害灯３０に伝送する。光伝送装置４０２は、監視制御装置４００からの制御信号に基づいて波長分割多重技術（ＷＤＭ）により、各送電鉄塔＃１、＃２、・・・、＃Ｘの航空障害灯３０に、波長λ１、λ２、・・・、λＸを割り当て、伝送する。送電鉄塔＃ｎの航空障害灯３０は、波長フィルタ部１２によって、該当波長の光λｎのみ抽出し、抽出した光４１４を波長変換部１４によって変換した赤色光を照射する。光電変換部１７は、電力用の光信号４１１を、シリーズに接続したフォトダイオード（ＰＤ：Ｐｈｏｔｏｄｉｏｄｅ）で受信し、電力に変換する。電源制御部１８は、光電変換部１７によって変換された電力を多段式制御によってセンサ１０４に提供する。センサ１０４は、電源制御部１８から提供された電源によって動作し、ランプ部１０１の周囲の光の照度を測定し、通信光信号４１５によって送信する。
【００４３】
伝送路は、ＯＰＧＷ（Ｏｐｔｉｃａｌ  Ｇｒｏｕｎｄ  Ｗｉｒｅ）を使用する。ＯＰＧＷは、架空地線（雷遮蔽を目的として、送電線の上部に架線した架空送電線）内に光ファイバを内蔵させている。このため、ＯＰＧＷを使用する航空障害灯システム４０は、光ファイバの持つ高品位、大容量伝送の特徴によって、長距離かつ広範囲なシステムを構築することができる
【００４４】
監視制御装置４００は、全ての航空障害灯３０を一括して監視制御する。例えば、航空障害灯系統監視盤４０３に、航空障害灯３０の現状に関する情報、例えば、航空障害灯３０のそれぞれの点灯又は消灯の情報や、センサ１０４から受信した周囲の照度等、を表示する。そして、監視制御装置４００は、オペレータの指示を受け付けて、受け付けた指示に基づいて、航空障害灯３０ごとに点灯又は消灯するために光伝送装置４０２を制御したり、周囲の照度に基づいてレーザー装置４０１の出力を制御して航空障害灯３０の輝度調整をする等、細やかな制御により省エネ効果を出すことができる。
【００４５】
航空障害灯３０は、照度を測定するセンサ１０４以外に、発熱を監視するための温度センサや、異常検知センサ、消費電力センサ等を備えるとしてもよい。監視制御装置４００は、通信光信号４１５によって受信した各センサからのデータを航空障害灯系統監視盤４０３に表示したり、各センサからのデータに基づいて光伝送装置４０２や、レーザー装置４０１を制御することができる。
【００４６】
図６は、本発明の一実施形態に係る航空障害灯システム４０の監視制御装置４００のハードウェア構成の一例を示す図である。監視制御装置４００は、ＣＰＵ（Ｃｅｎｔｒａｌ  Ｐｒｏｃｅｓｓｉｎｇ  Ｕｎｉｔ）１０００、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、Ｉ／Ｏコントローラ１０７０、ハードディスク１０７４、表示装置１０８０、入力装置１１００及び入出力Ｉ／Ｆ装置２０００を備え、バスライン１００５により接続されている。
【００４７】
ＣＰＵ１０００は、監視制御装置４００を統括的に制御する部分であり、ハードディスク１０７４に記憶された各種プログラムを適宜読み出して実行することにより、上述したハードウェアと協働し、本発明に係る各種機能を実現している。
【００４８】
通信Ｉ／Ｆ１０４０は、監視制御装置４００を専用ネットワーク又は公共ネットワークを介して他のサーバ等と接続できるようにするためのネットワーク・アダプタである。
【００４９】
メインメモリ１０５０は、適宜読み出して実行されるプログラムを記憶し、プログラムの実行によって作成される種々の情報を記憶する。
【００５０】
ＢＩＯＳ１０６０は、監視制御装置４００の起動時にＣＰＵ１０００が実行するブートプログラムや、監視制御装置４００のハードウェアに依存するプログラム等を格納する。
【００５１】
Ｉ／Ｏコントローラ１０７０には、ハードディスク１０７４等の記憶手段を接続することができる。
【００５２】
ハードディスク１０７４は、監視制御装置４００が本発明の機能を実行するためのプログラムを記憶しており、監視制御テーブル（図７参照）等を記憶している。
【００５３】
監視制御装置４００に提供されるプログラムは、ハードディスク１０７４、又はメモリカード等の記録媒体に格納されて提供される。このプログラムは、Ｉ／Ｏコントローラ１０７０を介して、記録媒体から読み出され、又は通信Ｉ／Ｆ１０４０を介してダウンロードされることによって、監視制御装置４００にインストールされ実行されてもよい。
【００５４】
表示装置１０８０は、監視制御装置４００による演算処理結果の画面、オペレータの指示を受け付ける画面等を表示するものであり、ブラウン管表示装置、液晶表示装置等のディスプレイ装置を含む。
【００５５】
入力装置１１００は、監視制御装置４００のオペレータによる入力を行う装置であり、キーボード及びマウス等で構成される。
【００５６】
入出力Ｉ／Ｆ装置２０００は、航空障害灯系統監視盤４０３と、レーザー装置４０１と、光伝送装置４０２と、センサ１０４とを接続している。
【００５７】
監視制御装置４００は、航空障害灯３０に備えられたそれぞれのセンサ１０４から受信した照度データを監視制御テーブル（図７参照）に記憶すると共に、受信した照度データを航空障害灯系統監視盤４０３に表示する。そして、監視制御装置４００は、受信した照度データに基づいてレーザー装置４０１の出力を制御し、オペレータの指示に基づいて航空障害灯３０をそれぞれ点灯／消灯するために光伝送装置４０２を制御する。
【００５８】
図７は、本発明の一実施形態に係る航空障害灯システム４０の監視制御テーブルの一例を示す図である。
【００５９】
監視制御テーブルは、送電鉄塔情報と、出力光情報と、周囲の照度情報とを記憶している。送電鉄塔情報は、送電鉄塔を識別するための鉄塔ＩＤと航空障害灯ＩＤとを記憶している。出力光情報は、航空障害灯３０を点灯するための光の波長と、出力のＯＮ／ＯＦＦ情報とを記憶している。周囲の照度情報は、航空障害灯３０のセンサ１０４から送信された照度データを記憶し、点灯前の照度と点灯後の照度とに分けて記憶している。
【００６０】
図８は、本発明の一実施形態に係る航空障害灯システム４０の処理内容を示すフローチャートである。なお、本処理は、プログラム開始指令を受けて処理を開始し、プログラム終了指令を受けて終了する。
【００６１】
ステップＳ１０１において、ＣＰＵ１０００は、オペレータからの指示が点灯／消灯指示か否かを判断する。より具体的には、ＣＰＵ１０００は、入力装置１１００から航空障害灯３０の点灯か消灯かを示すデータを入力したか否かを判断する。この判断がＹＥＳの場合は処理をステップＳ１０２に移し、ＮＯの場合は処理をステップＳ１０３に移す。
【００６２】
ステップＳ１０２において、ＣＰＵ１０００は、オペレータからの指示を監視制御テーブルに記憶し、指示された航空障害灯３０を点灯／消灯するために、光伝送装置４０２による光の波長の多重化を制御する。より具体的には、ＣＰＵ１０００は、オペレータから点灯を指示された場合に、指示された航空障害灯３０に対応付けられた波長の光を含んで多重化するように光伝送装置４０２を制御する。同様にして、オペレータから消灯を指示された場合に、伝送される光に、指示された航空障害灯３０に対応付けられた波長の光が含まれないように光伝送装置４０２を制御する。その後、ＣＰＵ１０００は、処理をステップＳ１０１に移す。
【００６３】
ステップＳ１０３において、ＣＰＵ１０００は、オペレータからの指示がレーザーへの指示か否かを判断する。より具体的には、ＣＰＵ１０００は、入力装置１１００からレーザーへの指示を示すデータを入力したか否かを判断する。この判断がＹＥＳの場合は処理をステップＳ１０４に移し、ＮＯの場合は処理をステップＳ１０５に移す。
【００６４】
ステップＳ１０４において、ＣＰＵ１０００は、オペレータからの指示に基づいてレーザー装置４０１を制御する。より具体的には、ＣＰＵ１０００は、オペレータからの指示に基づいてレーザー装置４０１にレーザーの出力をアップ又はダウンするように信号を出力し、制御する。その後、ＣＰＵ１０００は、処理をステップＳ１０１に移す。
【００６５】
ステップＳ１０５において、ＣＰＵ１０００は、センサ情報を受信したか否かを判断する。この判断がＹＥＳの場合は処理をステップＳ１０６に移し、ＮＯの場合は処理をステップＳ１０１に移す。
【００６６】
ステップＳ１０６において、ＣＰＵ１０００は、受信したセンサ情報を監視制御テーブルに記憶する。より具体的には、ＣＰＵ１０００は、受信したセンサ情報の航空障害灯ＩＤに基づいて、監視制御テーブルの対応する航空障害灯ＩＤの周囲の照度情報エリアにおいて、出力光情報がＯＦＦの場合には点灯前エリアに、ＯＮの場合には点灯後エリアに受信した照度データを記憶する。その後、ＣＰＵ１０００は、処理をステップＳ１０１に移す。
【００６７】
図９は、本発明の一実施形態に係る航空障害灯システム４０の全体図の一例を示す図である。
【００６８】
航空障害灯システム４０は、送電鉄塔５１０に航空障害灯３０をそれぞれ配置し、変電所でもある制御所５０１に、監視制御装置４００、レーザー装置４０１、光伝送装置４０２、航空障害灯系統監視盤４０３を設置し、光ファイバ（ＯＰＧＷ）を介して近赤外線（１．３〜１．６μｍ）を航空障害灯３０に送出する。航空障害灯システム４０は、近赤外線（１．３〜１．６μｍ）を光ファイバ（ＯＰＧＷ）に送出することで、遠距離まで伝送することが可能であり、制御所５０１にて、全ての航空障害灯３０を一括監視制御することが可能である。
【００６９】
更に、ＯＰＧＷを経由する通信局舎５０３に光アンプ５１１を必要により設置して、送出した信号の減衰を防ぐとしてもよい。レーザー装置４０１から遠距離の場合、損失ロスによる光レベル低下が考えられるため、変電所構内の通信局舎５０３の通信機械室内に設置される光アンプ５１１（光増幅装置）により、光レベルを増幅することで、広範囲（遠距離）の航空障害灯３０を点灯させることができる。
【００７０】
更に、ＯＰＧＷの断線障害を考慮して、もう片方の変電所５０２にも同様のレーザー装置４０１及び光伝送装置４０２を予備として設けることが、望ましい。
【００７１】
航空障害灯３０の設置は、ランプ部１０１と光接続部１０２（フィルタ部）とを分離させて、それぞれランプ灯１９１と、光接続箱１９２としてもよい。鉄塔＃ｎの光接続箱１９２において、波長フィルタ部１２で特定波長λｎのみ取り出し、波長変換部１４にて赤色光に励起後、ランプ灯１９１に送り発光させる。そして、特定波長λｎ以外は、通過して隣の鉄塔に送出される。
【００７２】
実施例１によれば、照明装置１０は、上流側の伝送路に接続された入力端子部１１から、伝送された光が入力され、入力された光のうち特定の波長以外の光を通過させて、出力端子部１３から下流側の伝送路に出力する。そして、本発明に係る照明装置は、通過しなかった特定の波長の光の波長を変換し、変換された光を反射し、散乱させて光を照射する。
【００７３】
そして、照明装置システム２０は、レーザー装置４０１と、光伝送装置４０２と、照明装置１０と、を備える。レーザー装置４０１は、光を出力し、光伝送装置４０２は、レーザー装置４０１が出力した光を複数の異なる波長の光として多重化し、多重化した光を照明装置１０に伝送し、照明装置１０は、入力された光のうち特定の波長に基づいて光を照射する。したがって、照明装置１０は、伝送路によって伝送された光を用いるので、近くに光源や電源を備えていなくても照らすことができる。更に、照明装置１０は、伝送された光のうち特定の波長の光を用いて照らし、特定の波長以外の光を通過させるので、照明装置１０を多数使用した照明装置システム２０は、光の波長を制御して一括して制御でき、その結果、照明装置１０を多数使用した場合のコストを従来より低減することができる。
【００７４】
実施例２によれば、航空障害灯３０は、照明装置１０の構成に加えて、光電変換部１７と、電源制御部１８と、センサ１０４と、を更に備え、入力された光のうち特定の波長に基づいて赤色光を照射すると共に、入力された光を電力に変換し、変換された電力を用いてセンサが周囲の光の照度を計測する。
【００７５】
更に、航空障害灯システム４０は、監視制御装置４００と、レーザー装置４０１と、光伝送装置４０２と、航空障害灯３０と、を備える。そして、監視制御装置４００の制御によってレーザー装置４０１は、近赤外線を出力し、監視制御装置４００の制御によって光伝送装置４０２は、レーザー装置４０１が出力した光を複数の異なる波長の光として多重化し、多重化した光を航空障害灯３０に伝送し、航空障害灯３０は、入力された光のうち特定の波長に基づいて赤色光を照射する。更に、航空障害灯３０は、センサ１０４が測定したデータを監視制御装置４００に送信し、受信した監視制御装置４００は、航空障害灯系統監視盤４０３に表示する。したがって、本発明に係る航空障害灯システム４０は、航空障害灯３０を多数使用した場合に、光の波長を制御して一括して監視制御でき、その結果、多数の航空障害灯３０を送電鉄塔に配置した場合のコストの大幅な低減と、ＣＯ２削減とを実現できる。そして、本発明に係る航空障害灯システム４０は、多数の航空障害灯３０を一括して監視制御する設備をコンパクトにすることができ、監視や保守の簡素化及び効率化を図ることができる。
【００７６】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００７７】
１０    照明装置
１１    入力端子部
１２    波長フィルタ部
１３    出力端子部
１４    波長変換部
１５    光反射層部
１６    散乱部
１７    光電変換部
１８    電源制御部
２０    照明装置システム
３０    航空障害灯
４０    航空障害灯システム
１０１  ランプ部
１０２  光接続部
１０４  センサ
１９１  ランプ灯
１９２  光接続箱
２０１，２０２  伝送路
４００  監視制御装置
４０１  レーザー装置
４０２  光伝送装置
４０３  航空障害灯系統監視盤
４１１  光信号
４１３，４１４  光
４１５  通信光信号
５０１  制御所
５０２  変電所
５０３  通信局舎
５１１  光アンプ
１０００  ＣＰＵ
１００５  バスライン
１０４０  通信Ｉ／Ｆ
１０５０  メインメモリ
１０６０  ＢＩＯＳ
１０７０  Ｉ／Ｏコントローラ
１０７４  ハードディスク
１０８０  表示装置
１１００  入力装置
２０００  入出力Ｉ／Ｆ装置
【図１】
0005595744.tif 000002
【図２】
0005595744.tif 000003
【図３】
0005595744.tif 000004
【図４】
0005595744.tif 000005
【図５】
0005595744.tif 000006
【図６】
0005595744.tif 000007
【図７】
0005595744.tif 000008
【図８】
0005595744.tif 000009
【図９】
0005595744.tif 000010